(57)【要約】【課題】  寝返りなどを打って寝る姿勢を変えることがあっても、毛布が上布団からずれるのを防止できる毛布のずれ防止シートを得ること。【解決手段】  布団の滑り止め機能を有する方形状の滑り止めシート１１の裏面に毛布３の上面への貼着可能な両面粘着テープ２を設けた。。【選択図】図１
0003124967.tif 000002
【実用新案登録請求の範囲】
【請求項１】
布団に対する滑り止め機能を有する矩形状の滑り止めシートの裏面に毛布上面への貼着手段を備えていることを特徴とする毛布のずれ防止シート。
【請求項２】
布団に対する滑り止め機能を有する矩形状の樹脂製滑り止めシートの裏面の上下２ヶ所に、横方向に延びる帯状の毛布上面への貼着用剥離紙付両面貼着テープを貼着して構成し、この滑り止めシートを毛布の上面における四隅部と中央部との少なくとも５箇所に貼着テープを介して貼り付け、これらシートの上に上布団を被せるようにしたことを特徴とする毛布のずれ防止シート。
【考案の詳細な説明】
【技術分野】
【０００１】  本考案は、毛布の上に上布団を被せて寝るとき、寝返りなどによる毛布のずれを防止する毛布のずれ防止シートに関する。
【背景技術】
【０００２】  従来、毛布の上に上布団を被せて寝るとき、寝返りなどを打って寝る姿勢を変えると、毛布だけが体に巻き付いて上布団からずれてしまい、毛布が一方側に偏って背中が毛布から外に出てしまったり、足が毛布から外に出てしまったり、首まわりが毛布から外に出てしまったりしていた。また、一方側にずれた毛布が足などに絡み付いて体の動きが不自由となることもあった。
【考案の開示】
【考案が解決しようとする課題】
【０００３】  ところで、上記のように、毛布が上布団からずれてしまい、毛布が一方側に偏った場合、この毛布のずれを直すことになるのであるが、寝た状態の姿勢では、毛布のずれを直そうとしてもなかなかうまく直すことができない。そのため、一旦布団から出て上布団を毛布上から取り除き、その上で毛布を下布団の上に正確に敷き直し、その後上布団を被せるといった面倒な敷き直し作業を行う必要があった。【０００４】  そこで、本考案は、寝返りなどを打って寝る姿勢を変えることがあっても、毛布が上布団からずれるのを防止できる毛布のずれ防止シートの提供を課題とする。
【課題を解決するための手段】
【０００５】  上記問題を解決するため本考案の請求項１に記載の考案は、布団に対する滑り止め機能を有する矩形状の滑り止めシートの裏面に毛布上面への貼着手段を備えていることを特徴とする。【０００６】  また、本考案の請求項２に記載の考案は、布団に対する滑り止め機能を有する矩形状の樹脂製滑り止めシートの裏面の上下２ヶ所に、横方向に延びる帯状の毛布上面への貼着用剥離紙付両面貼着テープを貼着して構成し、この滑り止めシートを毛布の上面における四隅部と中央部との少なくとも５箇所に貼着テープを介して貼り付け、これらシートのトに上布団を被せるようにしたことを特徴とする。
【考案の効果】
【０００７】  本考案によれば、布団に対する滑り止め機能を有する方形状の滑り止めシートの裏面に毛布上面への貼着手段を備えているから、この滑り止めシートを毛布の上面における複数の適宜箇所に貼着手段を介して貼り付け、これらの滑り止めシート上に上布団を被せることにより、寝返りなどを打って寝る姿勢を変えることがあっても、滑り止めシートにより毛布が上布団に対してずれるのを防止することができる。【０００８】  また、布団に対する滑り止め機能を有する方形状の樹脂製滑り止めシートの裏面の上下２ヶ所に、横方向に延びる帯状の毛布上面への貼着用剥離紙付両面貼着テープを貼着して構成し、この滑り止めシートを毛布の上面における四隅部と中央部との５箇所に貼着テープを介して貼り付け、これらシートの上に上布団を被せるようにすれば、滑り止めシートの毛布上面への貼着が両面貼着テープによって簡単容易に行うことができ、しかも、毛布の上面の四隅部と中央部との５箇所に貼り付けられた滑り止めシートにより、寝返りなどを打って寝る姿勢を変えることがあっても、毛布が上布団に対してずれるのをより効果的に防止することができる。
【考案を実施するための最良の形態】
【０００９】  以下、本考案の実施の形態を図に基づいて説明する。【００１０】  図１は、本考案に係る毛布のずれ防止シート１の裏面図を示し、１は布団に対する滑り止め機能を有する矩形状の塩化ビニル樹脂製滑り止めシート１１の裏面の上下２ヶ所に横方向へ帯状に延びる毛布上面への貼着用剥離紙付両面貼着テープ２を貼着した構成となっている。内外両面に接着剤層２１，２２を有する両面貼着テープ２は、図２に示すようにその内面側接着剤層２１を介して滑り止めシート１１の内面に貼着され、また、貼着テープ２の外面には接着剤層２２を介して剥離紙２３が剥離可能に貼着されている。【００１１】  そして、使用に際しては、まず、図３及び図４に示すように毛布のずれ防止シート１を、毛布３の上面における四隅部と中央部との５箇所に両面貼着テープ２を介して貼り付ける。その場合、両面貼着テープ２外面側の剥離紙２１を剥がし、外面側接着剤層２２を介して毛布３の上面に貼り付ける。このように毛布のずれ防止シート１を予め毛布３の上面における四隅部と中央部との５箇所に貼り付け、この毛布３を下布団４の上に正確に敷き、その後、毛布３の上に上布団５を位置合わせしながら被せるだけでよい。【００１２】  このようにすれば、毛布３の上面の四隅部と中央部との５箇所に貼り付けられた毛布のずれ防止シート１により、寝返りなどを打って寝る姿勢を変えることがあっても、毛布３が上布団５に対してずれるのを防止することができる。これにより、従来のように毛布３が体に巻き付いて上布団５からずれてしまい、毛布３が一方側に偏って背中が毛布３から外に出てしまったり、足が毛布３から外に出てしまったり或いは首まわりが毛布３から外に出てしまったり、さらには、一方側にずれた毛布３が足などに絡み付いて体の動きを不自由にさせるといったことが防止できる。【００１３】  また、上記した実施の形態では毛布のずれ防止シート１の毛布３の上面への取付手段として両面貼着テープ２を用いているので、既成の毛布３に毛布のずれ防止シート１を簡単に取付けることができるし、また、毛布３の洗濯などを行う場合には、毛布のずれ防止シート１を毛布３から剥がして取り外すことができる。なお、両面貼着テープ２に代えてマジックファスナーなどの適宜取付手段を用いてもよいことは勿論である。【００１４】  なお、以上の実施の形態では滑り止めシート１１として、塩化ビニル樹脂製の滑り止めシートを用いたけれども、何ら係るシートに限定されるものではなく、滑り止め機能を有するシート状ものであればよいのであって、例えばアクリルなどの樹脂製シートや湿式不織布などを用いてもよいことは勿論である。
【図面の簡単な説明】
【００１５】
【図１】  本考案に係る毛布のずれ防止シートの概略の裏面図である。
【図２】  図１のＡ−Ａ線拡大断面図である。
【図３】  同毛布のずれ防止シートの使用状態の平面図である。
【図４】  図３のＢ−Ｂ線拡大断面図である。
【符号の説明】
【００１６】  １        毛布のずれ防止シート
１１      滑り止めシート
２        両面粘着テープ
３        毛布
５        上布団
【図１】
0003124967.tif 000003
【図２】
0003124967.tif 000004
【図３】
0003124967.tif 000005
【図４】
0003124967.tif 000006
【手続補正書】
【提出日】平成18年6月8日(2006.6.8)
【手続補正１】
【補正対象書類名】明細書
【補正対象項目名】００１３
【補正方法】変更
【補正の内容】
【００１３】  また、上記した実施の形態では毛布のずれ防止シート１の毛布３の上面への取付手段として両面貼着テープ２を用いているので、既成の毛布３に毛布のずれ防止シート１を簡単に取付けることができるし、また、毛布３の洗濯などを行う場合には、毛布のずれ防止シート１を毛布３から剥がして取り外すことができる。なお、両面貼着テープ２に代えてマジックファスナー（登録商標）などの適宜取付手段を用いてもよいことは勿論である。